(57)【要約】【課題】  複数の衣類の乾燥を短時間で行うことのできる空調装置を提供する。【解決手段】  室内の空気を吸い込む吸込口１８と、この吸い込んだ空気を外へ排気する排気口１７と、吸い込んだ空気を前記室内へ戻す吹出口１９と、吸込口１８から空気を吸い込んで送風する送風ファン２２と、この送風ファン２２から送風される空気を排気口１７へ案内する第１位置と吹出口１９へ案内する第２位置とに少なくとも切り換わるダンパーＤと、吹出口１９から吹き出す空気を加熱するＰＴＣヒータ４０とを備え、流速の速い空気が吹き出す吹出口１９の開口面の部位に向かって送風ファン２２から流れる空気を、流速の遅い空気が吹き出す吹出口１９の開口面の部位へ案内するガイド板３４を設けた。【選択図】  図３
2005098557.tif 000002
【特許請求の範囲】
【請求項１】
室内の空気を吸い込む吸込口とこの吸込口から吸い込んだ空気を前記室内へ戻す吹出口とを有する循環風路を少なくとも備え、前記吸込口から空気を吸い込んで吹出口へ送風する送風手段と、前記吹出口から吹き出す空気を加熱する加熱手段とを設けた空調装置であって、
前記吹出口の開口面の各部位から吹き出す空気の流速をほぼ同一にすることを特徴とする空調装置。
【請求項２】
室内の空気を吸い込む吸込口とこの吸込口から吸い込んだ空気を前記室内へ戻す吹出口とを有する循環風路を少なくとも備え、前記吸込口から空気を吸い込んで吹出口へ送風する送風手段と、前記吹出口から吹き出す空気を加熱する加熱手段とを設けた空調装置であって、
流速の速い空気が吹き出す前記吹出口の開口面の部位に向かって前記送風手段から流れる空気を、流速の遅い空気が吹き出す前記吹出口の開口面の部位へ案内するガイド手段を設けたことを特徴とする空調装置。
【請求項３】
室内の空気を吸い込む吸込口とこの吸込口から吸い込んだ空気を前記室内へ戻す吹出口とを有する循環風路を少なくとも備え、前記吸込口から空気を吸い込んで吹出口へ送風する送風手段と、前記吹出口から吹き出す空気を加熱する加熱手段とを設けた空調装置であって、
前記吹出口の開口面のうち流速の遅い空気が吹き出す部分のみに前記加熱手段を配置したことを特徴とする空調装置。
【請求項４】
室内の空気を吸い込む吸込口とこの吸込口から吸い込んだ空気を前記室内へ戻す吹出口とを有する循環風路を少なくとも備え、前記吸込口から空気を吸い込んで吹出口へ送風する送風手段と、前記吹出口から吹き出す空気を加熱する加熱手段とを設けた空調装置であって、
流速の速い空気が吹き出す前記吹出口の開口面の部位に向かって前記送風手段から流れる空気を、流速の遅い空気が吹き出す前記吹出口の開口面の部位へ案内するガイド手段を設け、
前記吹出口の開口面のうち流速の遅い空気が吹き出す部分のみに前記加熱手段を配置したことを特徴とする空調装置。
【請求項５】
前記吹出口に対向してルーバが配置され、このルーバは方向が異なる複数方向へ風を誘導する複数の風向板を備えていることを特徴とする請求項１ないし請求項４のいずれか１つに記載の空調装置。
【発明の詳細な説明】
【技術分野】
【０００１】
この発明は、例えば浴室等の室内の換気、暖房、涼風のうち少なくとも１つの空調機能を有する空調装置に関する。
【背景技術】
【０００２】
従来から、図９に示す浴室換気装置１が知られている（例えば特許文献１参照）。
【０００３】
係る浴室換気装置１は、浴室内の空気を吸い込む吸込口２と、浴室内へ温風を吹き出す吹出口３と、浴室の空気を排気する排気ダクト４と、吹出口３から吹き出す空気を加熱するヒータ５と、実線位置と鎖線位置とに切り換わるダンパ６と、吸込口２から浴室の空気を吸い込んで吹出口３や排気ダクト４へ送風する送風ファン７等とを備えている。
【０００４】
ダンパ６が実線位置に切り換わると吸込口２と吹出口３とが連通され、暖房モードや乾燥モードのときヒータ５が通電され、吹出口３から温風が吹き出される。
【特許文献１】特開２００３−２０７１７６号公報
【発明の開示】
【発明が解決しようとする課題】
【０００５】
しかしながら、このような浴室換気装置１にあっては、ダンパ６が実線位置に切り換わっているとき、送風ファン７によって送風される空気はダンパ６によって向きが変えられて吹出口３から吹き出すものであるから、吹出口３の右側部分から吹き出す空気の風速が速く、吹出口３の左へいくにしたがってその風速は遅くなる。このため、例えば吹出口３の下方に鎖線で示すように洗濯物Ｍ１,Ｍ２,Ｍ３を干した場合、右端にある洗濯物Ｍ１に当たる吹出口３の風が強く、洗濯物Ｍ２に当たる風は弱く、左端にある洗濯物Ｍ３には風はほとんど当たらず、洗濯物Ｍ１は早く乾くが、洗濯物Ｍ３が乾くのに長時間要してしまう問題があった。
【０００６】
この発明の目的は、複数の衣類の乾燥を短時間で行うことのできる空調装置を提供することにある。
【課題を解決するための手段】
【０００７】
請求項１の発明は、室内の空気を吸い込む吸込口とこの吸込口から吸い込んだ空気を前記室内へ戻す吹出口とを有する循環風路を少なくとも備え、前記吸込口から空気を吸い込んで吹出口へ送風する送風手段と、前記吹出口から吹き出す空気を加熱する加熱手段とを設けた空調装置であって、
前記吹出口の開口面の各部位から吹き出す空気の流速をほぼ同一にすることを特徴とする。
【０００８】
請求項２の発明は、室内の空気を吸い込む吸込口とこの吸込口から吸い込んだ空気を前記室内へ戻す吹出口とを有する循環風路を少なくとも備え、前記吸込口から空気を吸い込んで吹出口へ送風する送風手段と、前記吹出口から吹き出す空気を加熱する加熱手段とを設けた空調装置であって、
流速の速い空気が吹き出す前記吹出口の開口面の部位に向かって前記送風手段から流れる空気を、流速の遅い空気が吹き出す前記吹出口の開口面の部位へ案内するガイド手段を設けたことを特徴とする。
【０００９】
請求項３の発明は、室内の空気を吸い込む吸込口とこの吸込口から吸い込んだ空気を前記室内へ戻す吹出口とを有する循環風路を少なくとも備え、前記吸込口から空気を吸い込んで吹出口へ送風する送風手段と、前記吹出口から吹き出す空気を加熱する加熱手段とを設けた空調装置であって、
前記吹出口の開口面のうち流速の遅い空気が吹き出す部分のみに前記加熱手段を配置したことを特徴とする。
【００１０】
請求項４の発明は、室内の空気を吸い込む吸込口とこの吸込口から吸い込んだ空気を前記室内へ戻す吹出口とを有する循環風路を少なくとも備え、前記吸込口から空気を吸い込んで吹出口へ送風する送風手段と、前記吹出口から吹き出す空気を加熱する加熱手段とを設けた空調装置であって、
流速の速い空気が吹き出す前記吹出口の開口面の部位に向かって前記送風手段から流れる空気を、流速の遅い空気が吹き出す前記吹出口の開口面の部位へ案内するガイド手段を設け、
前記吹出口の開口面のうち流速の遅い空気が吹き出す部分のみに前記加熱手段を配置したことを特徴とする。
【００１１】
請求項５の発明は、前記吹出口に対向してルーバが配置され、このルーバは方向が異なる複数方向へ風を誘導する複数の風向板を備えていることを特徴とする。
【発明の効果】
【００１２】
この発明によれば、衣類等を短時間で乾燥させることができる。
【発明を実施するための最良の形態】
【００１３】
以下、この発明に係わる空調装置の１つである浴室用の換気乾燥装置の実施例を図面に基づいて説明する。
【実施例】
【００１４】
［第１実施例］
図１に示す浴室用の換気乾燥装置１０は、予め浴室の天井Ｔに設けた開口部ｔ内に収納される換気乾燥装置本体１１を有する。換気乾燥装置本体１１は、天井Ｔに図示しないネジで固定孔ＴＨに固定される。また、換気乾燥装置本体１１の下面にはフロントパネル１２がネジＮによって取付孔ＫＳを介して取り付けられている。
【００１５】
フロントパネル１２には、後述する吸込口１８に対向して設けられた吸込開口１２Ａと、後述する吹出口に対向して設けられた吹出開口１２Ｂとが設けられている。そして、吸込開口１２Ａおよび吹出開口１２Ｂにはグリル１５,１６が設けられている。
【００１６】
グリル１６は、図３に示すように、右方向に風を誘導する複数の風向板１６Ａと、真下に風を誘導する複数の風向板１６Ｂと、左方向へ風を誘導する複数の風向板１６Ｃとを有している。
【００１７】
換気乾燥装置本体１１の側方には図２および図３に示すように排気口１７が設けられている。また、換気乾燥装置本体１１の下面には、浴室内(図示せず)の空気を吸い込む吸込口１８と吸い込んだ空気を浴室内へ吹き出す吹出口１９とが設けられている。吹出口１９内にはヒータユニット３０が設けられており、吹出口１９から吹き出す空気をそのヒータユニット３０のＰＴＣヒータ（自己温度制御機能付きヒータ：加熱手段）４０によって加熱するようになっている。
【００１８】
排気口１７は、接続ダクト１８Ｄと、この接続ダクト１８Ｄに接続される図示しない排気ダクトを介して室外に連通されている。
【００１９】
換気乾燥装置本体１１内には、送風ファン室２０とダンパ室２１とが形成されており、送風ファン室２０には、送風ファン２２と、この送風ファン２２の外周囲に区画形成されるとともにその送風ファン２２によって送風される空気をダンパ室２１へ案内する送風路２３とが設けられている。Ｍは送風ファン２２を回転させるモータである。
【００２０】
ダンパ室２１には、ダンパＤが設けられており、ダンパＤが図３に示す実線位置（第２位置）と破線位置（第１位置）と鎖線位置とに切り換え可能となっている。ダンパＤが実線位置に切り換えられると、送風路２３とダンパ室２１とにより循環風路Ｑ１が形成されて吸込口１８と吹出口１９とが連通される。ダンパＤが破線位置に切り換えられると、送風路２３とダンパ室２１とにより換気風路Ｑ２が形成されて吸込口１８と排気口１７とが連通される。
【００２１】
ヒータユニット３０は、図４に示すように、開口３１を形成したベース枠体３２と、このベース枠体３２の下側に且つ開口３１の一側部（図２において下部）を下側から覆うように取り付けられたＰＴＣヒータ（ヒータ）４０と、開口３１に取り付けられたガイド板（ガイド手段）３４等とを有している。ガイド板３４は開口３１内を貫通して上下方向に延びており、図５に示すように、ガイド板３４の右下部に切欠３４Ａが形成されている。この切欠３４ＡにはＰＴＣヒータ４０が配置されている。ベース枠体３２は換気乾燥装置本体１１の吹出口１９内に嵌入されており、ダンパ室２１に送風された空気はベース枠体３２の開口３１内を通っていくことになる。
【００２２】
ガイド板３４の上部３４Ｂは、図３に示すように換気乾燥装置本体１１のダンパ室２１内に進入している。また、ガイド板３４とベース枠体３２の開口３１の中心線Ｌとのなす角度αは１０度〜３０度の範囲内に設定するのが好ましく、最適には２０度がよい。
【００２３】
また、ベース枠体３２の上面には上方に延びた一対の支持部材３５が設けられており、この支持部材３５の上部にはダンパＤの軸Ｊが軸支され、ダンパＤは軸Ｊ回りに回動して位置が切り換わるようになっている。
【００２４】
［動  作］
次に、上記のように構成される換気乾燥装置１０の動作について説明する。
【００２５】
図示しない操作部の操作により乾燥モードが設定されると、ダンパＤが実線の位置に切り換えられてＰＴＣヒータ４０が通電される。そして、モータＭが駆動されて送風ファン２２が回転すると、浴室の空気がフロントパネル１２の吸込開口１２Ａを介して換気乾燥装置本体１１の吸込口１８へ吸い込まれていく。この吸込口１８へ吸い込まれた空気は、送風ファン２２により送風路２３を介してダンパ室２１へ送風される。
【００２６】
そして、ダンパ室２１へ送風された空気は、ダンパＤにより下方へほぼ９０度向きが変えられて換気乾燥装置本体１１の吹出口１９へ向かって流れていくので、図６に示す吹出口１９の右側から吹き出す空気の風量が大きく増加し、吹出口１９の左側から吹き出す空気の風量は僅かなものとなる。すなわち、吹出口１９の右側にいくにしたがって吹出口１９から吹き出される空気の風量は増加するとともに風速（流速）も速くなる。
【００２７】
しかし、ベース枠体３２の開口３１にガイド板３４が設けられているので、送風路２３の上部Ｒ１,Ｒ２を流れる空気はダンパＤに案内されて吹出口１９へそのまま向かうが、送風路２３の中間部Ｒ３,Ｒ４を流れる空気はガイド板３４により吹出口１９の右側へいくのが阻止または抑制されるとともに吹出口１９の左側へ案内される。すなわち、吹出口１９の開口面の右側部位に向かって流れる空気を吹出口１９の開口面の左側部位へ案内する。
【００２８】
このため、吹出口１９の開口面の左右方向（図６において）の各部位から吹き出される空気の風量がほぼ同一になるとともに風速もほぼ同一となる。すなわち、フロントパネル１２の吹出開口１２Ｂへ向かう空気の風量および風速が吹出口１９の開口面の左右方向の各部位でほぼ同一（均一）となる。また、吹出口１９から吹き出す空気はＰＴＣヒータ４０によって加熱されていく。
【００２９】
吹出口１９の開口面の左右方向の各部位から吹き出される空気の風量および風速がほぼ同一であることにより、フロントパネル１２の吹出開口１２Ｂから浴室へ吹き出す空気の風量および風速が吹出開口１２Ｂの左右方向の各部位でほぼ均一となる。しかも、吹出開口１２Ｂのグリル１６の風向板１６Ａ〜１６Ｃが左右方向と中央との３方向に向いているので、吹出開口１２Ｂから左右方向へ広がって空気が吹き出していき、その吹き出す空気の風量および風速が各部位で均一であることにより、吹出開口１２Ｂの下方に干す複数の衣類等の洗濯物全体に広範囲に亘って同じ強さの風を当てることができ、しかも加熱した風を当てるので複数の洗濯物を短時間で乾燥させることができる。
【００３０】
また、送風路２３からダンパ室２１へ送風される空気の風速は、送風ファン２２が遠心ファンであることにより、送風路２３の外側（図２において上側）にいくほど速く、送風路２３の内側（図２において下側）にいくほど遅くなる。そして、ＰＴＣヒータ４０は、送風路２３の内側となるベース枠体３２の開口３１の下側（図２において）に配置されており、その開口３１の開口面の一部分を覆う状態となっているが、開口３１の開口面の他の部分は開放されている。
【００３１】
このため、送風路２３の外側を流れる流速の速い空気はそのままベース枠体３２の開口３１を通って吹出口１９へ流れていくので、その風速はほとんど低下せずに吹出口１９から吹き出すことになる。また、送風路２３の内側を流れる流速の遅い空気がＰＴＣヒータ４０のフィン４０Ａの間を通過して吹出口１９へ流れていく。
【００３２】
このように、流速の遅い空気がＰＴＣヒータ４０のフィン４０Ａに当たってさらに流速が遅くなって吹出口１９へ流れていくが、流速の速い空気はそのまま吹出口１９からフロントパネル１２の吹出開口１２Ｂへ向かうので、その吹出開口１２Ｂから浴室へ吹き出す空気は風速が低下せずに、グリル１６の風向板１６Ａ〜１６Ｃによって左右方向に広がって複数の洗濯物に当たることになる。このため、さらに複数の洗濯物を短時間で乾燥させることができる。
【００３３】
なお、流速が速いということは吹出口１９から吹き出す風は強く、流速が遅いということは吹出口１９から吹き出す風は弱いということを意味する。流速の速い・遅いの定義は対象エリア（吹出口の開口面の該当部分）に対する単位時間および単位体積当たりの風の流速,流量を意味しており、流速が速ければ流量が多く、流速が遅ければ流量が少なくなる。
【００３４】
換気モードが設定された場合には、ダンパＤが図３に示す破線の位置に切り換えられて、ＰＴＣヒータ４０が非通電状態にされる。そして、モータＭの駆動により送風ファン２２が回転して、浴室の空気がフロントパネル１２の吸込開口１２Ａを介して換気乾燥装置本体１１の吸込口１８へ吸い込まれていく。この吸込口１８へ吸い込まれた空気は、送風ファン２２により送風路２３を介してダンパ室２１へ送風され、排気口１７から接続ダクト１８Ｄおよび排気ダクトを介して室外へ排気され、図示しない浴室のドアに設けてあるガラリ（アンダーカット）等から乾燥した空気が浴室へ入り、浴室の換気が行われる。
【００３５】
また、乾燥モードが設定された場合、ダンパＤが図３に示す鎖線の位置に切り換わるようにしてもよい。この場合も、吹出口１９の右側へ向かって流れる空気をガイド板３４により阻止または抑制して吹出口１９の左側へ案内するので、フロントパネル１２の吹出開口１２Ｂから浴室へ吹き出す空気の風量および風速を吹出開口１２Ｂの左右方向の各部位でほぼ同一となるようにすることができ、さらに、浴室の湿った空気が室外へ排気され、替わりに図示しない浴室のドアに設けてあるガラリ（アンダーカット）等から乾燥した空気が取り入れられるので、衣類などの洗濯物の乾燥をより早く乾燥させることができることになる。
【００３６】
涼風モードが設定された場合には、ダンパＤが鎖線の位置に切り換えられた状態で、ＰＴＣヒータ４０が非通電状態となる。
【００３７】
上記実施例では、フロントパネル１２のグリル１６の風向板１６Ａ〜１６Ｃを３方向に向けているが、その風向板１６Ａ〜１６Ｃの向きは１方向であってもよい。さらに、ガイド板３４を省略してもよい。この場合も、送風路２３の外側を流れる流速の速い空気はベース枠体３２の開口３１をそのまま通って複数の洗濯物に当たるので、複数の洗濯物を短時間で乾燥させることができる。
【００３８】
また、１つのＰＴＣヒータ４０をベース枠体３２の開口３１に設けているが、従来と同様に開口３１に３つ設けて開口３１全体を覆うようにしてもよい。この場合、ガイド板３４をＰＴＣヒータ４０の上流側に配置してもよく、ＰＴＣヒータ４０とフロントパネル１２の間に配置してもよい。また、ガイド板３４をダンパＤに設けてもよい。また、フロントパネル１２の吹出開口１２Ｂの各部位からほぼ同じ流速の空気が吹き出るようにするものであれば、ガイド板３４でなくても他のものであってもよい。
【００３９】
なお、空調装置は電気式の浴室乾燥装置に限定されるものでなく、ガスなどによる温水式の空調装置にも適用できる。
［第２実施例］
図７および図８は、第２実施例の換気乾燥装置１００を示す。この換気乾燥装置１００は、専用の換気用のシロッコファン１０３と専用の循環用のシロッコファン（送風手段）１０４とを換気乾燥装置本体１０１に設け、換気と循環をそれぞれ別個のシロッコファン１０３,１０４で行うようにしたものである。１１２はフロントパネル、１１２Ａは吸込開口、１１２Ｂは吹出開口、Ｍ１はシロッコファン１０４を回転させるモータであり、シロッコファン１０３を回転させるモータは図示していない。
【００４０】
換気乾燥装置本体１０１の側方には排気口１０７が形成され、また、換気乾燥装置本体１０１の下面には、浴室内(図示せず)の空気を吸い込む吸込口１０８,１０９と、吸込口１０９から吸い込んだ空気を浴室内へ吹き出す吹出口１１０とが設けられている。吹出口１１０内にはＰＴＣヒータ（自己温度制御機能付きヒータ：加熱手段）１０５が設けられており、吹出口１１０から吹き出す空気をそのＰＴＣヒータ１０５によって加熱するようになっている。
【００４１】
排気口１０７は、接続ダクト１１１と、この接続ダクト１１１に接続される図示しない排気ダクトを介して室外に連通されている。
【００４２】
換気乾燥装置本体１０１内には、シロッコファン室１２０,１２１と、排気風路１２２と、循環風路１２３と、吹出室１２４とが形成されており、シロッコファン室１２０にはシロッコファン１０３が設けられており、シロッコファン室１２１にはシロッコファン１０４が設けられている。そして、吸込口１０８と排気口１０７とがシロッコファン室１２０および排気風路１２２を介して連通し、吸込口１０９と吹出口１１０とがシロッコファン室１２１と循環風路１２３と吹出室１２４を介して連通している。吹出室１２４の下面開口が吹出口１１０となっている。ＰＴＣヒータヒータ１０５は、循環風路１２３を流れる空気の流速が最も遅い位置に設けられている。
【００４３】
この換気乾燥装置１００は、シロッコファン１０３の回転により浴室の空気を吸込口１０８から吸い込んで排気風路１２２を介して排気口１０７へ送風し、この排気口１０７から接続ダクト１１１および図示しない排気ダクトを介して外へ排気するようになっている。また、シロッコファン１０４の回転により浴室の空気を吸込口１０９から吸い込むとともに、この吸い込んだ空気を循環風路１２３へ送風し、この循環風路１２３へ送風された空気はＰＴＣヒータ１０５で加熱されて吹出口１１０から浴室へ吹き出すようになっている。
【００４４】
吹出室１２４には、第１実施例と同様なガイド板（ガイド手段）１３４が設けられており、このガイド板１３４によって吹出口１１０の開口面の左右方向（図７において）の各部位から吹き出される空気の風速をほぼ同一するようにしたものである。
【００４５】
また、ＰＴＣヒータ１０５は、図８に示すように循環風路１２３を流れる空気の流速が遅い位置に設けたものであるから、第１実施例と同様に風速を低下させずに吹出口１１０から空気を吹き出させるようにしたものである。
【００４６】
この換気乾燥装置１００も第１実施例と同様な効果を得ることができる。
【図面の簡単な説明】
【００４７】
【図１】この発明に係る第１実施例の換気乾燥装置の外観を示した斜視図である。
【図２】図１に示す換気乾燥装置のフロントパネルを外した底面図である。
【図３】図１に示す換気乾燥装置の構成を示した縦断面図である。
【図４】ヒータユニットの構成を示した斜視図である。
【図５】ヒータユニットのベース枠体を示した斜視図である。
【図６】送風路からダンパ室および吹出口へ向かう空気の流れを示した説明図である。
【図７】第２実施例の換気乾燥装置の構成を示した縦断面図である。
【図８】図７に示す換気乾燥装置の底面図である。
【図９】従来の浴室換気乾燥装置の構成を示した説明図である。
【符号の説明】
【００４８】
１７            排気口
１８            吸込口
１９            吹出口
２２            送風ファン
３４            ガイド板
４０            ＰＴＣヒータ
【図１】
2005098557.tif 000003
【図２】
2005098557.tif 000004
【図３】
2005098557.tif 000005
【図４】
2005098557.tif 000006
【図５】
2005098557.tif 000007
【図６】
2005098557.tif 000008
【図７】
2005098557.tif 000009
【図８】
2005098557.tif 000010
【図９】
2005098557.tif 000011